(57)【要約】【課題】リード端子の配置に対する制約が緩和できる光モジュール  を提供する。【解決手段】光モジュール１ａは、搭載部品９と、接続部材５と、電子デバイス７とを備える。搭載部品９は、内面９ａ、外面９ｂ、搭載部１５、貫通孔９ｃ及び９ｄ、並びにリード端子１７、１９及び２１とを備えている。搭載部１５は、内面９ａ上に設けられ、第１の基準面に沿って伸びる搭載面１５ａを有する。第１の基準面は内面９ａ及び外面９ｂに交差している。第１の基準面はキャビティ１３を第１の領域１３ａ及び第２の領域１３ｂに分割する。内部リード端子部１７ｂは、キャビティ１３の第１の領域１３ａに設けられる。接続部材５は、屈曲部５ａと、取付部５ｂ、ボンディング部５ｃ及び接続部５ｄを有する。取付部５ｂは、内部リード端子部１７ｂに取り付けられている。【選択図】  図１
2004288742.tif 000002
【特許請求の範囲】
【請求項１】
所定の軸に交差する主面、前記所定の軸に沿って伸びる搭載面を有しており前記主面上に設けられた搭載部、およびリード端子を有するステムと、
前記搭載面上に設けられたペルチェ素子と、
光軸を所定の軸の方向に向けて前記ペルチェ素子上に搭載された半導体発光素子とを備え、
前記ペルチェ素子は前記リード端子に電気的に接続されている、光モジュール。
【請求項２】
前記リード端子に接続されたリード端子延長部材を更に備え、
前記ペルチェ素子は、ボンディングワイヤ及び前記リード端子延長部材を介して前記リード端子に接続されている、請求項１に記載の光モジュール。
【請求項３】
前記リード端子延長部材は前記リード端子に支持されている、請求項２に記載の光モジュール。
【請求項４】
前記リード端子延長部材はボンディング面を有しており、
前記ボンディングワイヤは前記ボンディング面に接続されている、請求項２又は請求項３に記載の光モジュール。
【請求項５】
前記リード端子の一端の側面はボンディング面を有しており、
前記ボンディングワイヤは前記ボンディング面に接続されている、請求項１〜請求項４のいずれかに記載の光モジュール。
【発明の詳細な説明】
【０００１】
【発明の属する技術分野】
本発明は、光モジュールに関する。
【０００２】
【従来の技術】
特許文献１には、半導体レーザモジュールが記載されている。半導体レーザモジュールは、フェルール挿入用の第１の穴とレンズ挿入用の第２の穴とをレセプタクルに備えている。第１の穴の中心軸は第２の穴の中心軸からずれている。レセプタクルがＣＡＮ型パッケージ上に位置している。
【０００３】
ＣＡＮ型パッケージを用いる光モジュールには、２つのタイプがある。その一タイプは、ＣＡＮ型パッケージ内にヒートシンクを介して搭載された半導体レーザ素子を備える発光モジュールである。半導体レーザ素子のアノード及びカソードは、それぞれ、パッケージのリード端子にボンディングワイヤを介して接続されている。別のタイプは、ＣＡＮ型パッケージ内に搭載されたフォトダイオードを備える受光モジュールである。フォトダイオードのアノード及びカソードは、それぞれ、パッケージのリード端子にボンディングワイヤを介して接続されている。
【０００４】
【特許文献１】
特開平１１−２９５５５９号公報
【０００５】
【発明が解決しようとする課題】
これらのＣＡＮ型パッケージは、３本または４本のリード端子を有している。ＣＡＮ型パッケージでは、フォトダイオード及び半導体レーザ素子といった電子素子は、これらのリード端子とボンディングワイヤを介して接続されている。これらの電子素子に関する電気信号の入力及び出力並びに電源パワーの受け取りは、リード端子を介して行われている。
【０００６】
ＣＡＮ型パッケージでは、リード端子は、ステムといった搭載部品に設けられている。ペルチェ素子といった更なる電子素子をＣＡＮ型パッケージ内に実装するためには、追加のリード端子が必要である。上述のように、電子素子は、リード端子とボンディングワイヤを介して接続されているので、追加の電子素子は、追加のリード端子にボンディングワイヤを介して接続されることが必要である。既存のリード端子だけでなく追加のリード端子の位置もまた、追加の電子素子にボンディングワイヤを介して接続可能な搭載部品のある領域に制約される。つまり、このような制約を除くことが望まれている。
【０００７】
そこで、本発明の目的は、上記の制約に限定されない位置にリード端子を設けることができる光モジュールを提供することとする。
【０００８】
【課題を解決するための手段】
本発明の一側面によれば、光モジュールは、（ａ）所定の軸に交差する主面、所定の軸に沿って伸びる搭載面を有しており主面上に設けられた搭載部、およびリード端子を有するステムと、（ｂ）搭載面上に設けられたペルチェ素子と、（ｃ）光軸を所定の軸の方向に向けてペルチェ素子上に搭載された半導体発光素子とを備え、ペルチェ素子はリード端子に電気的に接続されている。
【０００９】
この光モジュールによれば、ペルチェ素子は搭載面上に設けられており、またリード端子に接続される。
【００１０】
本発明に光モジュールは、リード端子に接続されたリード端子延長部材を更に備えることができる。ペルチェ素子は、ボンディングワイヤおよびリード端子延長部材を介してリード端子に接続されている。
【００１１】
ボンディングワイヤに加えてリード端子延長部材を用いることにより、ステムにおいて、ペルチェ素子のためのリード端子を設けることが可能な領域を広げることができる。
【００１２】
本発明に光モジュールでは、リード端子延長部材はリード端子に支持されている。リード端子延長部材は、ボンディングワイヤをリード端子延長部材に接続できるように支持される。
【００１３】
本発明に光モジュールでは、リード端子延長部材がボンディング面を有するようにしてもよい。ボンディングワイヤはボンディング面に接続されている。ボンディング面は該リード端子延長部材にボンディングワイヤを接合するために利用される。
【００１４】
本発明に光モジュールでは、リード端子の一端の側面がボンディング面を有するようにしてもよい。ボンディングワイヤはボンディング面に接続されている。ボンディング面は該リード端子にボンディングワイヤを接合するために利用される。
【００１５】
本発明の上記の目的および他の目的、特徴、並びに利点は、添付図面を参照して進められる本発明の好適な実施の形態の以下の詳細な記述から、より容易に明らかになる。
【００１６】
【発明の実施の形態】
本発明の実施の形態の光モジュールを図面を参照しながら説明する。可能な場合には、同一の部分には同一の符号を付する。
【００１７】
（第１の実施の形態）
図１は、本実施の形態に係る光モジュールを示す図面である。図２は、本実施の形態に係る光モジュールの主要な構成部品を示す図面である。図３は、本実施の形態に係る光モジュールを示す側面図である。図４は、本実施の形態に係る光モジュールを示す平面図である。
【００１８】
図１及び図２を参照すると、光モジュール１ａは、ハウジング３と、リード端子延長部材といった第１の接続部品５と、電子デバイス７とを備える。ハウジング３は、搭載部品９及び覆い部材１１を有する。搭載部品９及び覆い部材１１はキャビティ（ハウジング空間）１３を提供している。搭載部品９は、例えば金属製であり、例えばステムである。覆い部材１１も、例えば金属製であり、例えばレンズキャップである。
【００１９】
搭載部品９は、内面９ａ、外面９ｂ、搭載部１５、貫通孔９ｃ及び９ｄ、並びにリード端子１７、１９及び２１とを備えている。内面９ａ及び外面９ｂは、所定の軸Ａｘに交差するそれぞれの基準面に沿って伸びている。搭載部１５は、内面９ａ上に設けられており、所定の軸Ａｘの方向に伸びる。搭載部１５は、内面９ａから突出している。貫通孔９ｃ、９ｄは、内面９ａから外面９ｂに所定の軸Ａｘの方向に伸びる。リード端子１７、１９及び２１は、それぞれ、貫通孔９ｃ及び９ｄを通過する。搭載部１５は、第１の基準面に沿って伸びる搭載面１５ａを有している。第１の基準面は内面９ａ及び外面９ｂに交差している。第１の基準面はキャビティ１３を第１の領域１３ａ及び第２の領域１３ｂに分割している。リード端子１７は、外部リード端子部１７ａ及び内部リード端子部１７ｂを有している。リード端子１９は、外部リード端子部１９ａ及び内部リード端子部１９ｂを有している。リード端子２１は、外部リード端子部２１ａ及び内部リード端子部２１ｂを有している。内部リード端子部１７ｂは、キャビティ１３の第１の領域１３ａに設けられている。内部リード端子部１９ｂ及び２１ｂは、キャビティ１３の第２の領域１３ｂに設けられている。
【００２０】
第１の接続部品５は、少なくとも一つの屈曲部５ａを有する。第１の接続部品５は、取付部５ｂ、接続部５ｃ及びボンディング部５ｄを有している。取付部５ｂは、内部リード端子部１７ｂに取り付けられる。接続部５ｃは、取付部５ｂとボンディング部５ｄとを繋いでいる。
【００２１】
電子デバイス７（図２参照）は、搭載面１５ａ上に搭載されている。電子デバイス７としては、半導体光素子、ペルチェ素子等が例示されるが、図１に示された実施例では、ペルチェ素子である。電子デバイス７は、キャビティ１３の第２の領域１３ｂに設けられている。電子デバイス７は、ボンディング部５ｄに電気的に接続されている。
【００２２】
この光モジュール１ａでは、リード端子１７は、リード端子１９、２１の位置と異なり、電子素子７とボンディングワイヤを介して直接に接続可能な位置に設けられていない。しかしながら、第１の接続部品５を用いると、キャビティ１３の第１の領域１３ａに設けられている内部リード端子部１７ｂを、キャビティ１３の第２の領域１３ｂに設けられている電子デバイス７に電気的に接続できる。光モジュール１ａによれば、搭載部品９におけるリード端子１７の配置に対する制約が縮小された。
【００２３】
具体的には、光モジュール１ａは、第１の接続部品５のボンディング部５ｄと電子デバイス７とを電気的に接続する第１の接続部材２３を備えることができる。光モジュール１ａでは、キャビティ１３の第２の領域１３ｂに設けられている電子デバイス７は、第１の接続部品５及び第１の接続部材２３を介して、キャビティ１３の第１の領域１３ａに設けられる内部リード端子部１７ｂと電気的に接続されることができる。第１の接続部材２３は、ボンディング部５ｄに電子デバイス７の電極を接続するボンディングワイヤを含むことができる。
【００２４】
また、光モジュール１ａは、第２の搭載部品６と、リード端子１８及び２０とを備えることができる。リード端子１８及び２０は、それぞれ、貫通孔を通過する。リード端子１８は、外部リード端子部１８ａ及び内部リード端子部１８ｂを有している。リード端子２０は、外部リード端子部２０ａ及び内部リード端子部２０ｂを有している。内部リード端子部１８ｂは、キャビティ１３の第１の領域１３ａに設けられている。内部リード端子部２１ｂは、キャビティ１３の第２の領域１３ｂに設けられている。
【００２５】
図２を参照すると、電子デバイス７は、電子素子３０と配線基板２５とを含むことができる。搭載面１５ａ上には、配線基板２５が搭載されている。配線基板２５の電極面２５ａは、導電パターン２５ｂ及び２５ｃが設けられる。電子素子３０は、配線基板２５の電極面２５ａ上に搭載されており、導電パターン２５ｂ及び２５ｃに電気的に接続される。
【００２６】
光モジュール１ａは、半導体光素子２９といった別の電子デバイスを更に備えることができる。搭載面１５ａ上には、半導体光素子２９が設けられる。また、搭載面１５ａ上には、ヒートシンクといった搭載部材２７が設けられている。半導体光素子２９は、搭載部材２７上に位置する。
【００２７】
光モジュール１ａは、覆い部材１１に保持されたレンズ３１を備えることができる。レンズ３１は、半導体光素子２９に光学的に結合されている。また、光モジュール１ａは、搭載部品上に搭載された受光素子３３を備えることができる。受光素子３３といった電子デバイスは、半導体光素子２９に光学的に結合されている。受光素子３３は、半導体光素子２９のモニタするように動作する。詳述すれば、受光素子３３は、内面９ａに対して傾斜された搭載面９ｅ上に設けられている。
【００２８】
図２に示されるように、接続部品５は、少なくとも１つの屈曲部５ａを有しており、屈曲部５ａは、第１の方向に伸びる部分５ｆと、第２の方向に伸びる部分５ｇとを有している。第１の方向は、第２の方向に交差する方向である。接続部品５を用いて搭載部１５を迂回することにより、搭載面１５ａ上に設けられた電子デバイスを、搭載部１５の背後に設けられたリード端子１７に接続することができる。
【００２９】
図１及び図２を再び参照すると、リード端子延長部材といった第２の接続部品６は、少なくとも一つの屈曲部６ａを有する。第２の接続部品６は、取付部６ｂ、接続部６ｃおよびボンディング部６ｄを有している。取付部６ｂは、内部リード端子部１８ｂに取り付けられている。接続部６ｃは、取付部６ｂとボンディング部６ｄとを繋いでいる。より具体的に説明すれば、光モジュール１ａは、第２の接続部品６のボンディング部６ｄと電子デバイス７とを電気的に接続する第２の接続部材２４を備えることができる。光モジュール１ａでは、キャビティ１３の第２の領域１３ｂに設けられている電子デバイス７では、キャビティ１３の第１の領域１３ａに設けられている内部リード端子部１８ｂが第２の接続部品６及び第２の接続部材２４を介して電気的に接続されることができる。第２の接続部材２４は、ボンディング部６ｄと電子デバイス７の電極とを接続するボンディングワイヤを含むことができる。
【００３０】
図１及び図２に示された例によれば、リード端子１７、１８、１９、２１は、搭載部品９と電気的に絶縁されている。この絶縁を得るために、リード端子１７、１８、１９、２１と搭載部品９との間には、ガラスといった絶縁性部材３５が設けられている。また、この絶縁性部材３５は、リード端子１７、１８、１９、２１の通過部分を気密に封止するために役立つ。リード端子２０は、搭載部品９と電気的に接続されている。
【００３１】
図１及び図２を参照すると、接続部品５は、第１の面５ｈと、該第１の面５ｈに対向された第２の面５ｉとを有する。取付部５ｂ、接続部５ｃ、及びボンディング部５ｄの各々は、第１の面５ｈ及び第２の面５ｉを有する。取付部５ｂは、第１の面５ｈにおいて内部リード部１７ｂに取り付けられる。接続部５ｃの第１の面５ｈは、搭載部品９の搭載部１５の側面１５ｂから間隔Ｄ１だけ離れて、搭載部１５の側面１５ｂに沿って伸びる。接続部品６は、接続部品５と類似の形態であって、接続部６ｃの第１の面６ｈは、搭載部品９の搭載部１５の側面１５ｃと間隔Ｄ２ｄだけ離れて、搭載部１５の側面１５ｃに沿って伸びる。
【００３２】
図３に示されるように、光モジュール１ａは、第１の接続部品５を内部リード部１７ｂを接合する接合部材４５を更に備えており、接合部材４５は、半田といった導電性接着材を含むことができる。接合部材４５によれば、内面９ａに沿う方向に接続部品５の取付部５ｂが伸びるように接続部品５を支持できる。
【００３３】
また、光モジュール１ａは、接続部品６と内部リード部１８ｂとを互いに接合する接合部材４７を更に備えている。接続部品６の取付部６ｂには、内部リード端子部１８ｂを位置決めするための溝６ｆといった位置決め部が設けられている。内部リード端子部１８ｂは、半田といった導電性接着材を介して溝６ｆに固定されている。余分な半田は、半田溜めといった凹部６ｇに流れ込む。
【００３４】
接合部材４７によれば、内面９ａに沿う方向に接続部品６の取付部６ｂが伸びるように接続部品６を支持できる。接続部品５、６が内部リード部１７ｂ、１８ｂにより支持されるので、接続部品５、６と電子デバイスとの接続により、接続部品５、６を支持する必要がない。
【００３５】
図３を参照すると、光モジュール１ａでは、電子デバイス７の電極面２５ａは、搭載面１５ａに交差する軸に交差する基準面Ｒ１に沿って伸びている。該電極面２５ａ上には、電極パターン２５ｂ及び２５ｃが設けられている。接続部品５のボンディング部５ｄは、ボンディング面５ｅを有しており、ボンディング面５ｅは搭載面１５ａに交差する軸に交差する基準面Ｒ２に沿って伸びる。接続部品６のボンディング部６ｄは、ボンディング面６ｅを有しており、ボンディング面６ｅは搭載面１５ａに交差する軸に交差する基準面Ｒ３に沿って伸びる。
【００３６】
この光モジュール１ａによれば、電極面及びボンディング面が、搭載面１５ａに交差する軸に交差するそれぞれの基準面Ｒ１〜Ｒ３に沿って伸びるので、電子デバイス７と接続部品５、６との接続が容易になる。また、ボンディング面１９ｃ、２０ｃ、電極２７ａ及び電極２９ａが、搭載面１５ａに交差する軸に交差するそれぞれの基準面Ｒ４、Ｒ５、Ｒ６、Ｒ７に沿って伸びるので、搭載面１５ａ上の半導体光素子２９をリード端子１９、２０との接続が容易になる。図３に示された例では、ボンディング面１９ｃ、２０ｃは、リード端子の一端に設けられた突起部の側面に設けられている。また、リード端子の一端の側面がボンディング面を有するようにしてもよい。
【００３７】
また、光モジュール１ａでは、接続部品５、６は、キャビティ１３の第１の部分１３ａから第２の部分１３ｂに向かう方向に伸びる部分を有する。この光モジュール１ａによれば、接続部品５、６は、キャビティ１３の第１の領域１３ａに設けられた内部リード端子部１７ｂ、１８ｂを、第２の領域１３ｂに設けられた電子デバイス７を電気的に接続する好適な構造を有している。
【００３８】
光モジュール１ａは、図３及び図４に示されるように、覆い部材１１は搭載部品９上に設けられている。覆い部材１１は、所定の軸Ａｘの方向に伸びる内側面１１ａと、所定の軸Ａｘに交差する面に沿って伸びる天井面１１ｂとを有している。接続部品５、６の接続部５ｃ、６ｃは、搭載部１５と覆い部材１１の内側面１１ａとの間に位置するようにできる。この光モジュール１ａによれば、キャビティ１３の第１の領域１３ａに設けられた内部リード端子部１７ｂ、１８ｂに電子デバイスを電気的に接続するために、搭載部１５と覆い部材１１の内側面１１ａとの間に接続部品５、６の接続部５ｃ、６ｃを通すことができる。電子デバイス等の配置を制約することがない。
【００３９】
図４を参照すると、接続部品５のボンディング面５ｅ、接続部品６のボンディング面６ｅ、電子デバイス７の導電パターン２５ｂ及び２５ｃの両方は、ある単一の面に対面するように設けられている。故に、ボンディングワイヤといった接続部材を用いて、接続部品５のボンディング面５ｅと電子デバイス７の導電パターン２５ｂとの間、接続部品６のボンディング面６ｅと電子デバイス７の導電パターン２５ｃとを接続できる。
【００４０】
また、好適な実施例では、光モジュール１ａは、搭載面上に搭載された電子デバイス７、２９を更に備えることができる。これらの電子デバイス７、２９の一方は半導体発光素子及びペルチェ素子の一方を含んでおり、他方の電子デバイスは半導体発光素子及びペルチェ素子の他方を含んでいる。半導体発光素子は、ペルチェ素子上に搭載されている。この光モジュール１ａによれば、ペルチェ素子及び半導体発光素子の両方をハウジング内に設けることができる。
【００４１】
一具体例では、電子デバイス７は、例えばペルチェ素子であり、接続部品５及び６並びに接続部材２３及び２４を介してそれぞれリード端子１７及び１８に接続されている。電子デバイス２９は、例えば半導体発光素子であり、それぞれ、接続部材３７及び３９を介してリード端子１９及び２０に接続されている。受光素子３３は、ボンディングワイヤといった接続部材４１を介してリード端子２１に接続されている。また、受光素子３３は、ボンディングワイヤといった接続部材４３を介して搭載部品９に接続されている。
【００４２】
また、好適な実施例では、ハウジング３は、ＣＡＮ型パッケージである。ＣＡＮ型パッケージ内に半導体レーザ素子及びモニタ受光素子を備えるときは、半導体レーザ素子及びモニタ受光素子のために３本或いは４本のリード端子が必要である。ＣＡＮ型パッケージでは、リード端子の配置に制約がある。故に、リード端子の数を増加することは容易ではない。なぜなら、リード端子の数を増加することは、搭載部品のサイズの増大になるからである。しかしながら、光モジュール１ａを採用すれば、半導体レーザ素子及びモニタ受光素子に加えてペルチェ素子をＣＡＮ型パッケージ内に配置できる。故に、本実施の形態の構造を光モジュールに適用すれば、より高機能の光モジュールを提供できる。
（第２の実施の形態）
図５は、第２の実施の形態に係る光モジュールを示す図面である。図６は、本実施の形態に係る光モジュールの主要な構成部品を示す図面である。図７は、本実施の形態に係る光モジュールを示す側面図である。図８は、本実施の形態に係る光モジュールを示す平面図である。
【００４３】
図５及び図６を参照すると、光モジュール１ｂは、接続部品５の代わりに、リード端子延長部材といった接続部品５５を備える。接続部品５５は、例えば金属製である。接続部品５５は、少なくとも一つの屈曲部５５ａを有する。接続部品５５は、取付部５５ｂ、接続部５５ｃ及びボンディング部５５ｄを有している。取付部５５ｂは、内部リード端子部１７ｂに取り付けられている。接続部５５ｃは、取付部５５ｂとボンディング部５５ｄとを繋いでいる。搭載面１５ａ上に搭載されている電子デバイス７は、ボンディング部５５ｄに電気的に接続されている。
【００４４】
この光モジュール１ｂでは、リード端子１７は、リード端子１９、２１の位置と異なり、電子素子７にボンディングワイヤを介して直接に接続可能な位置に設けられていない。しかしながら、接続部品５５は、キャビティ１３の第１の領域１３ａに設けられている内部リード端子部１７ｂを、キャビティ１３の第２の領域１３ｂに設けられている電子デバイス７に電気的に接続できる。光モジュール１ｂによれば、搭載部品におけるリード端子１７の配置に対する制約が縮小された。
【００４５】
光モジュール１ｂは、接続部品５５のボンディング部５５ｄと電子デバイス７とを電気的に接続する接続部材５７を備えることができる。光モジュール１ｂでは、キャビティ１３の第２の領域１３ｂに設けられている電子デバイス７は、キャビティ１３の第１の領域１３ａに設けられている内部リード端子部１７ｂに接続部品５５及び接続部材５７を介して電気的に接続されることができる。接続部材５７は、ボンディング部５５ｄと電子デバイス７の電極とを接続するボンディングワイヤを含むことができる。
【００４６】
リード端子延長部材といった接続部品５６は、少なくとも一つの屈曲部５６ａを有する。接続部品５６は、取付部５６ｂ、接続部５６ｃ及びボンディング部５６ｄを有している。取付部５６ｂは、内部リード端子部１８ｂに取り付けられている。接続部５６ｃは、取付部５６ｂとボンディング部５６ｄとを繋いでいる。より具体的に説明すれば、光モジュール１ｂは、接続部品５６のボンディング部５６ｄと電子デバイス７とを電気的に接続する接続部材５８を備えることができる。光モジュール１ｂでは、キャビティ１３の第２の領域１３ｂに設けられている電子デバイス７は、キャビティ１３の第１の領域１３ａに設けられている内部リード端子部１８ｂに接続部品５６及び接続部材５８を介して電気的に接続されることができる。接続部材５８は、ボンディング部５６ｄと電子デバイス７の電極とを接続するボンディングワイヤを含むことができる。
【００４７】
接続部品５５は、第１の面５５ｈと、該第１の面５５ｈに対向された第２の面５５ｉとを有している。取付部５５ｂ、接続部５５ｃ、及びボンディング部５５ｂの各々は、第１の面５５ｈ及び第２の面５５ｉを有している。取付部５５ｂは、第１の面５５ｈにおいて内部リード部１７ｂに取り付けられている。接続部５５ｃの第１の面５５ｈは、搭載部品９の搭載部１５の上面１５ｄから間隔Ｄ３だけ離れており、搭載部１５の上面１５ｄに沿って伸びている。接続部品５６は、接続部品５５と同様に、接続部５６ｃの第１の面５６ｈが搭載部品９の搭載部１５の上面１５ｄから間隔Ｄ４だけ離れており、搭載部１５の上面１５ｄに沿って伸びている。
【００４８】
図６及び図７に示されるように、光モジュール１ｂは、接続部品５５と内部リード部１７ｂとを互いに接合する接合部材５９を更に備えており、接合部材５９は半田といった導電性接着材を含むことができる。接合部材５９によれば、接続部品５５の取付部５５ｂが所定の軸Ａｘの方向を向くように接続部品５５を支持できる。
【００４９】
また、光モジュール１ｂは、接続部品５６と内部リード部１８ｂとを互いに接合する接合部材６１を更に備えている。接続部品５６の取付部５６ｂには、内部リード端子部１８ｂを位置決めするための溝５６ｆといった位置決め部が設けられている。内部リード端子部１８ｂは、半田といった導電性接着材を介して溝５６ｆに固定されている。余分な半田は、半田溜めといった凹部５６ｇに流れ込む。接合部材６１によれば、接続部品５６の取付部５６ｂが所定軸Ａｘの方向を向くように接続部品５６を支持できる。
【００５０】
内部リード部１７ｂ、１８ｂにより支持される接続部品５５，５６によれば、接続部品５５，５６と電子デバイスとの接続により、接続部品５５，５６を支持する必要がない。
【００５１】
図７を参照すると、光モジュール１ｂでは、電子デバイス７の電極面２５ａは、搭載面１５ａに交差する軸に交差する基準面Ｒ１に沿って伸びている。該電極面２５ａ上には、電極パターン２５ｂ及び２５ｃが設けられている。接続部品５５のボンディング部５５ｄは、ボンディング面５５ｅを有しており、ボンディング面５５ｅは、基準面Ｒ８に沿って伸びる。基準面Ｒ８は、搭載面１５ａに交差する軸に交差する。接続部品５６のボンディング部５６ｄは、ボンディング面５６ｅを有しており、ボンディング面５６ｅは搭載面１５ａに交差する軸に交差する基準面Ｒ９に沿って伸びる。
【００５２】
この光モジュール１ｂによれば、電極面及びボンディング面が、搭載面１５ａに交差する軸に交差するそれぞれの基準面Ｒ１、Ｒ８、Ｒ９に沿って伸びるので、電子デバイス７と接続部品５５、５６との接続が容易になる。また、ボンディング面１９ｃ、２０ｃ、電極２７ａ及び及び電極２９ａが、搭載面１５ａに交差する軸に交差するそれぞれの基準面Ｒ４〜Ｒ７に沿って伸びるので、搭載面１５ａ上の電子デバイス２９をリード端子１９、２０との接続が容易になる。
【００５３】
また、光モジュール１ｂでは、接続部品５５、５６は、キャビティ１３の第１の部分１３ａから第２の部分１３ｂに向かう方向に伸びる部分を有する。この光モジュール１ｂによれば、接続部品５５、５６は、キャビティ１３の第１の領域１３ａに設けられた内部リード端子部５ｂ、６ｂに、第２の領域１３ｂに設けられた電子デバイス７を電気的に接続する好適な構造を有している。
【００５４】
光モジュール１ｂは、図７及び図８に示されるように、覆い部材１１は搭載部品９上に設けられている。覆い部材１１は、所定の軸Ａｘの方向に伸びる内側面１１ａと、所定の軸Ａｘに交差する天井面１１ｂとを有している。接続部品５５、５６の接続部５５ｃ、５６ｃが、搭載部１５と覆い部材１１の天井面１１ｂとの間に位置するようにできる。この光モジュール１ｂによれば、キャビティ１３の第１の領域１３ａに設けられた内部リード端子部と電子デバイスとを電気的に接続するために、搭載部１５と覆い部材１１の天井面１１ｂとの間に接続部品５５、５６の接続部５５ｃ、５６ｃを通すことができる。故に、電子デバイス等の配置を制約することがない。
【００５５】
図８を参照すると、接続部品５５のボンディング面５５ｅ、接続部品５６のボンディング面５６ｅ、電子デバイス７の導電パターン２５ｂ及び２５ｃは、ある単一の面に対面するように設けられている。故に、ボンディングワイヤといった接続部材５７、５８を用いて、接続部品５５のボンディング面５５ｅと電子デバイス７の導電パターン２５ｂとの間、接続部品５６のボンディング面５６ｅと電子デバイス７の導電パターン２５ｃとを接続できる。
（第３の実施の形態）
図９〜図１３は、光モジュールの変形例を示す図面である。引き続いて説明される光モジュール１ｃ〜１ｇにおける接続部品によっても、キャビティ１３の第１の領域１３ａに設けられている内部リード端子部１７ｂをキャビティ１３の第２の領域１３ｂに設けられている電子デバイス７に電気的に接続できる。これらの変形例の光モジュールによれば、搭載部品におけるリード端子１７の配置に対する制約が縮小される。引き続いて、これらの変形例を説明する。
【００５６】
図９を参照すると、光モジュール１ｃは、光モジュール１ａの接続部品５、６に代えて、リード端子延長部材といった接続部品６５、６６を備える。接続部品６５は、例えば金属製である。接続部品６５は、取付部６５ｂ、ボンディング部６５ｃ及び接続部６５ｄを有している。取付部６５ｂは、内部リード端子部１７ｂに取り付けられている。接続部６５ｃは、取付部６５ｂとボンディング部６５ｄとを繋いでいる。
【００５７】
接続部品６５は、屈曲部６５ａ、６５ｆを有する。屈曲部６５ａは、取付部６５ｂを含む部分６５ｈを、接続部６５ｃを含む部分６５ｉに接続している。屈曲部６５ｆは、ボンディング部６５ｄを含む部分６５ｊを、接続部６５ｃを含む部分６５ｉに接続している。接続部品６５の内側面は、搭載部品９の搭載部１５の側面１５ｂからある間隔だけ離れて、搭載部１５の側面１５ｂに沿って伸びている。接続部品６５が複数の屈曲部６５ａ、６５ｆを備えるので、接続部品６５のボンディング部６５ｄの外側面は、ボンディング面６５ｅを提供している。ボンディング面６５ｅは、搭載面１５ａに交差する軸に交差する基準面（例えば、図３に示された基準面Ｒ３）に沿って伸びる。
【００５８】
接続部品６６も、接続部品６５と同様に、取付部６６ｂ、接続部６６ｃ及びボンディング部６６ｄを有しており、類似の態様で設けられている。搭載面１５ａ上に搭載されている電子デバイス７は、ボンディング部６５ｄ、６６ｄに電気的に接続されている。光モジュール１ｃは、接続部品６５、６６のボンディング面６５ｅ、６６ｅに電子デバイス７を電気的に接続するボンディングワイヤといった接続部材６７、６８を備えることができる。
【００５９】
図１０を参照すると、光モジュール１ｄは、光モジュール１ａの接続部品５、６に代えて、リード端子延長部材といった接続部品７５、７６を備える。接続部品７５は、例えば金属製である。接続部品７５は、取付部７５ｂ、接続部７５ｃ及びボンディング部７５ｄを有している。取付部７５ｂは、内部リード端子部１７ｂに取り付けられる。接続部７５ｃは、取付部７５ｂとボンディング部７５ｄとを繋いでいる。搭載面１５ａ上に搭載されている電子デバイス７は、ボンディング部７５ｄに電気的に接続されている。
【００６０】
接続部品７５は、屈曲部７５ａ、７５ｆを有する。屈曲部７５ａは、取付部７５ｂを含む部分７５ｈを、接続部７５ｃを含む部分７５ｉに接続している。屈曲部７５ｆは、ボンディング部７５ｄを含む部分７５ｊを、接続部７５ｃを含む部分７５ｉに接続している。接続部品７５の内側面は、搭載部品９の搭載部１５の上面１５ｄからある間隔だけ離れて、搭載部１５の上面１５ｄに沿って伸びている。接続部品７５が複数の屈曲部７５ａ、７５ｆを備えるので、接続部品７５のボンディング部７５ｄの外側面は、ボンディング面７５ｅを提供している。ボンディング面７５ｅは、搭載面１５ａに交差する軸に交差する基準面（例えば、図７に示された基準面Ｒ８）に沿って伸びる。
【００６１】
接続部品７６も、接続部品７５と同様に、取付部７６ｂ、接続部７６ｃ及びボンディング部７６ｄを有しており、類似の態様で設けられる。搭載面１５ａ上に搭載されている電子デバイス７は、ボンディング部７５ｄ、７６ｄに電気的に接続される。光モジュール１ｄは、接続部品７５、７６のボンディング面７５ｅ、７６ｅに電子デバイス７を電気的に接続するボンディングワイヤといった接続部材７７、７８を備えることができる。
【００６２】
図１１を参照すると、光モジュール１ｅは、搭載部１５の背後に追加のリード端子２２を備える。リード端子２２の内部リード端子部２２ｂには、リード端子延長部材といった接続部品５２が支持されている。接続部品５２は、接続部品５５又は５６と同じ構造を備える。搭載面１５ａ上に搭載されている電子デバイス７は、ボンディング部５ｄ、６ｄ、５２ｄに電気的に接続されている。光モジュール１ｅは、接続部品５、６、５２のボンディング面５ｅ、６ｅ、５２ｅに電子デバイス７を電気的に接続するボンディングワイヤといった接続部材２３、２４、５４を備えることができる。
【００６３】
接続部品５、６、５２は、それぞれ、搭載部１５の側面１５ｂ、１５ｃ及び上面１５ｄに沿って伸びるように配置されており、搭載部１５の背後に位置するリード端子１７、１８、２２に支持されている。リード端子１７、１８、２２は、接続部品５、６、５２を用いて搭載部１５を迂回して電子デバイス７に電気的に接続されている。
【００６４】
図１２を参照すると、光モジュール１ｆは、光モジュール１ａの接続部品５、６に代えて、リード端子延長部材といった接続部品８５、８６を備える。接続部品８５は、例えば金属製である。接続部品８５は、取付部８５ｂ、接続部８５ｃ及びボンディング部８５ｄを有している。取付部８５ｂは、内部リード端子部１７ｂに取り付けられている。接続部８５ｃは、取付部８５ｂとボンディング部８５ｄと繋いでいる。
【００６５】
接続部品８５が屈曲部８５ａ及び８５ｆにおいて屈曲されて、これにより互いに対面する内側面８５ｇ及び８５ｈが提供される。内部リード端子部１７ｂは、内側面８５ｇ及び８５ｈにより挟まれる。この構造によれば、接続部品８５はリード端子１７を保持することができる。接続部品８５をリード端子１７に取り付ける際に、接続部品８５をリード端子１７へのはめ合わせにより予備的に接続部品８５をリード端子１７に取り付けた後に、接続部品８５をリード端子１７に半田等により固定することができる。
【００６６】
接続部品８６も、接続部品８５と同様の構造を有しており、類似の態様でリード端子に取り付けられている。搭載面１５ａ上に搭載されている電子デバイス７は、ボンディング部８５ｄ、８６ｄに電気的に接続されている。光モジュール１ｆは、接続部品８５、８６のボンディング面８５ｅ、８６ｅに電子デバイス７を電気的に接続するボンディングワイヤといった接続部材８７、８８を備えることができる。
【００６７】
図１３を参照すると、光モジュール１ｇは、光モジュール１ｃのリード端子２１に代えてリード端子２６を備える。接続部品８９は、例えば金属製である。リード端子延長部材といった接続部品８９は、接続部品６５と同様の構造を備えることができ、例えば、取付部８９ｂ、接続部８９ｃ及びボンディング部８９ｄを有している。取付部８９ｂは、内部リード端子部２６ｂに取り付けられている。接続部８９ｃは、取付部８９ｂとボンディング部８９ｄとを繋いでいる。接続部品８９は、屈曲部８９ａを有する。屈曲部８９ａは、取付部８９ｂを含む部分８９ｈを、ボンディング部８９ｄを含む部分８９ｊに接続している。接続部品８９は、リード端子２１を迂回するように設けられており、受光素子３３に電気的に接続されている。接続部品８９は、搭載部品９の内面９ａに対面する側面８９ｆを有している。接続部品８９のボンディング面８９ｅは、側面８９ｆに反対の側面８９ｇにより提供されている。ボンディング面８９ｅは、所定の軸Ａｘに交差する基準面に沿って伸びている。
【００６８】
光モジュール１ｇでは、接続部品８９は、キャビティ１３の第１の領域１３ａに設けられている内部リード端子部２６ｂを、第２の領域１３ｂに設けられている半導体受光素子３３に電気的に接続できる。
（第４の実施の形態）
図１４は、本実施の形態に係る光モジュールを示す図面である。図１４に示されるように、光モジュール１ｈは、半導体発光素子に代えて、半導体受光素子を含むことができる。
【００６９】
光モジュール１ｈにおいて、電子デバイスとして、搭載部品９上に搭載された半導体受光素子８を含むことができる。この光モジュール１ｈによれば、半導体受光素子８は、キャビティ１３の第２の領域１３ｂに設けられた内部リード端子部２１ｂとを電気的に接続されることができる。光モジュール１ｈは、信号増幅素子１０といった電子デバイスを更に備えることができる。この電子デバイスは、搭載部１５の搭載面１５ａ上に搭載されている。信号増幅素子１０は、半導体受光素子８からの電気信号を受けており、該電気信号を増幅する。この光モジュールによれば、半導体受光素子８及び信号増幅素子１０の両方をハウジング内に設けることができる。光モジュール１ｈでは、信号増幅素子１０は、搭載面１５ａに交差する面に沿って伸びる電極面１０ａを備える。電極面１０ａ上には、複数の電極１０ｂ〜１０ｆが設けられている。電極１０ｂ、１０ｃは、それぞれ、接続部品５、６及び接続部材２３、２４を介してリード端子１７、１８に接続されている。電極１０ｄ、１０ｅは、それぞれ、接続部材３７、３９を介してリード端子１９、２０に接続されている。電極１０ｆは、搭載部品９１上の導電パターン９１ａ及びボンディングワイヤといった接続部材９３、９５を介して半導体受光素子８に接続されている。半導体受光素子８は、ボンディングワイヤといった接続部材９７を介してリード端子２１に接続されている。
【００７０】
この光モジュール１ｈによれば、半導体受光素子８及び信号増幅素子１０の両方をハウジング内に設けることができる。なお、半導体受光素子８の位置を信号増幅素子１０の位置と交換することができる。
【００７１】
以上説明したように、実施の形態において説明された光モジュールによれば、リード端子の配置に関する制約が緩和される。また、光モジュールによれば、リード端子を曲げることなく、該リード端子に搭載部品上の電子デバイスを接続できる。さらに、光モジュールによれば、搭載部の背後にあるリード端子に搭載部品上の電子デバイスを接続できる。一又は複数の電子デバイスを搭載部品上に搭載できるので、電子デバイスにおいて発生する熱を搭載部品を介して放出できる。また、本構造によれば、低コスト及び小型の光モジュールを提供できる。
【００７２】
好適な実施の形態において本発明の原理を図示し説明してきたが、本発明は、そのような原理から逸脱することなく配置および詳細において変更され得ることができることは、当業者によって認識される。例えば、接続部品の具体的な形状は、本実施の形態に開示された特定の構成に限定されるものではない。したがって、特許請求の範囲およびその精神の範囲から来る全ての修正および変更に権利を請求する。
【００７３】
【発明の効果】
以上詳細に説明したように、本発明によれば、リード端子の配置に対する制約が緩和できる光モジュールが提供される。
【図面の簡単な説明】
【図１】図１は、第１の実施の形態に係る光モジュールを示す図面である。
【図２】図２は、図１の光モジュールの主要な構成部品を示す図面である。
【図３】図３は、本実施の形態に係る光モジュールを示す側面図である。
【図４】図４は、本実施の形態に係る光モジュールを示す平面図である。
【図５】図５は、第２の実施の形態に係る光モジュールを示す図面である。
【図６】図６は、図５の光モジュールの主要な構成部品を示す図面である。
【図７】図７は、本実施の形態に係る光モジュールを示す側面図である。
【図８】図８は、本実施の形態に係る光モジュールを示す平面図である。
【図９】図９は、光モジュールの変形例を示す図面である。
【図１０】図１０は、光モジュールの変形例を示す図面である。
【図１１】図１１は、光モジュールの変形例を示す図面である。
【図１２】図１２は、光モジュールの変形例を示す図面である。
【図１３】図１３は、光モジュールの変形例を示す図面である。
【図１４】図１４は、第４の実施の形態に係る光モジュールを示す図面である。
【符号の説明】
１ａ〜１ｈ…光モジュール、３…ハウジング、５、６、５２、５５、５６、６５、６６、７５、７６、８５、８６…接続部品、５ａ…屈曲部、５ｂ…取付部、５ｃ…接続部、５ｄ…ボンディング部、５ｅ…ボンディング面、６ａ…屈曲部、６ｂ…取付部、６ｃ…接続部、６ｄ…ボンディング部、６ｅ…ボンディング面、７…電子デバイス、９…搭載部品、９ｃ、９ｄ…貫通孔、８…半導体受光素子、１０…信号増幅素子、１１…覆い部材、１３…キャビティ、１５…搭載部、１５ａ…搭載面、１７、１８、１９、２０、２１、２２…リード端子、２３、２４、３７、３９、４１、４２、４３、５７、５８、６７、６８、７７、７８、８７、８８…接続部材、２５…配線基板、２５ａ…電極面、２５ｂ、２５ｃ…導電パターン、２７…搭載部材、２９…半導体光素子、３０…電子素子、３１…レンズ、３３…受光素子、４５、４７、５９、６１…接合部材、９１…搭載部品、９５…接続部材
【図１】
2004288742.tif 000003
【図２】
2004288742.tif 000004
【図３】
2004288742.tif 000005
【図４】
2004288742.tif 000006
【図５】
2004288742.tif 000007
【図６】
2004288742.tif 000008
【図７】
2004288742.tif 000009
【図８】
2004288742.tif 000010
【図９】
2004288742.tif 000011
【図１０】
2004288742.tif 000012
【図１１】
2004288742.tif 000013
【図１２】
2004288742.tif 000014
【図１３】
2004288742.tif 000015
【図１４】
2004288742.tif 000016